(57)【要約】【課題】多段揺動選別板形態の選別装置を有する籾摺機においては、籾摺装置の作業停止形態により、選別装置で選別された二番物としての籾を，二番スロワによって返り籾ホッパへ還元するとき、二番スロワ内部に搬送籾が詰り易く、籾摺機，作業を再起動するときの、起動が円滑に行われないことが多い。【解決手段】籾摺機において、前記揺動選別装置4の籾選別口11から選別される返り籾を受けて搬送する二番樋12の一側端部には、前記籾ホッパ1と並設の返り籾ホッパ13に連通する二番スロワ14を設け、この二番スロワ14の下辺部15に落下口16を開口し、この落下口16から下方の前記摺出米選別風路5にのぞませた二番返し樋17を設ける。【選択図】  図1
2016117008.tif 000002
【特許請求の範囲】
【請求項１】
籾ホッパ1から供給される籾を受けて脱ぷする脱ぷ装置2と、多段の揺動選別板3からなる揺動選別装置4との間に、前記脱ぷ装置2で脱ぷされた摺出米を流下させて風選する摺出米選別風路5と、前記揺動選別装置4から流下される選別籾や、混合米等を風選する返り籾選別風路6、返り混合米選別風路7、これら各選別風路5、6、7から吸引する籾殻塵埃を機外へ排出する吸引排風機8、及び、前記摺出米選別風路5や返り籾選別風路6等から選別された混合米を受けて前記揺動選別装置4上方の選別ホッパ9へ昇穀する昇降機10を配置する籾摺機において、
前記揺動選別装置4の籾選別口11から選別される返り籾を受けて搬送する二番樋12の一側端部には、前記籾ホッパ1と並設の返り籾ホッパ13に連通する二番スロワ14を設け、この二番スロワ14の下辺部15に落下口16を開口し、この落下口16から下方の前記摺出米選別風路5にのぞませた二番返し樋17を設けたことを特徴とする籾摺機の籾摺選別装置。
【請求項２】
前記二番スロワ14の入口部18に開閉可能の制御弁19を設け、籾摺作業を停止操作する操作レバー20で前記制御弁19を閉鎖することによって、一定時間後に前記二番スロワ14の回転を停止することを特徴とする請求項1に記載の籾摺機の籾摺選別装置。
【請求項３】
前記二番樋12にのぞむ籾選別口11の返り籾シャッタ21を閉鎖した後に停止スイッチ22を押すことによって、一定時間後に二番スロワ14の駆動を停止することを特徴とする請求項1、又は2に記載の籾摺機の籾摺選別装置。
【請求項４】
前記二番スロワ14を駆動するスロワモータ23を、独立駆動のインバータモータによって駆動すると共に、揺動選別装置4の選別粒を循環するときの出力回転数は、選別玄米を排出するときの回転数よりも大きくするように制御可能とすることを特徴とする請求項1、2、又は3に記載の籾摺機の籾摺選別装置。
【請求項５】
前記スロワモータ23を、籾摺機本体の脱ぷ装置2、又は揺動選別装置4を駆動するメインモータ29の停止後の一定時間後に自動的に駆動停止することを特徴とする請求項1、2、3、又は4に記載の籾摺機の籾摺選別装置。
【請求項６】
前記揺動選別装置4の選別玄米還元口24に、玄米排出口28と混合米樋27とに切替案内する切替弁25を設け、二番樋12の底部に開閉弁26を設け、これら切替弁25と開閉弁26の開きによって、前記還元口24から排出される玄米や、二番樋12の返り粒を、下側の混合米樋27に流入させて搬送処理することを特徴とする請求項1、2、3、4又は5に記載の籾摺機の籾摺選別装置。
【発明の詳細な説明】
【技術分野】
【０００１】
籾摺機の揺動選別装置で選別処理する返り籾を、脱ぷ装置上の返り籾ホッパへ還元する二番スロワ部の籾詰り現象を少くする籾摺機の籾摺選別装置に関する。
【背景技術】
【０００２】
スロワ内部に複数組の翼車を設ける技術（例えば、特許文献1参照）が知られている。
【先行技術文献】
【特許文献】
【０００３】
【特許文献１】実開昭63-73217号公報
【発明の概要】
【発明が解決しようとする課題】
【０００４】
多段揺動選別板形態の選別装置を有する籾摺機においては、籾摺装置の作業停止形態により、選別装置で選別された二番物としての籾を，二番スロワによって返り籾ホッパへ還元するとき、二番スロワ内部に搬送籾が詰り易く、籾摺機，作業を再起動するときの、起動が円滑に行われないことが多い。
【課題を解決するための手段】
【０００５】
請求項1に記載の発明は、籾ホッパ1から供給される籾を受けて脱ぷする脱ぷ装置2と、多段の揺動選別板3からなる揺動選別装置4との間に、前記脱ぷ装置2で脱ぷされた摺出米を流下させて風選する摺出米選別風路5と、前記揺動選別装置4から流下される選別籾や、混合米等を風選する返り籾選別風路6、返り混合米選別風路7、これら各選別風路5、6、7から吸引する籾殻塵埃を機外へ排出する吸引排風機8、及び、前記摺出米選別風路5や返り籾選別風路6等から選別された混合米を受けて前記揺動選別装置4上方の選別ホッパ9へ昇穀する昇降機10を配置する籾摺機において、
前記揺動選別装置4の籾選別口11から選別される返り籾を受けて搬送する二番樋12の一側端部には、前記籾ホッパ1と並設の返り籾ホッパ13に連通する二番スロワ14を設け、この二番スロワ14の下辺部15に落下口16を開口し、この落下口16から下方の前記摺出米選別風路5にのぞませた二番返し樋17を設けたことを特徴とする籾摺機の籾摺選別装置
の構成とする。
【０００６】
籾ホッパ1に供給した籾は、脱ぷ装置2に供給されて、脱ぷ作用が行われる。この脱ぷされた摺出米は、摺出米選別風路5へ流下されて、吸引排風機8からの吸引排風を受けて、籾殻や塵埃を分離吸引しながら、風選した摺出混合米を混合米樋27に流下させて、昇降機10へ案内する。摺出米は、昇降機10によって昇穀されて選別ホッパ9へ搬送供給される。この選別ホッパ9から供給される混合米は、揺動選別装置4の各選別板3上に供給されて、揺動作用により選別板3上面を移動されながら比重選別作用が行われる。各選別板3上面の混合米層は、下層部の玄米層と、上層部の籾層と、これらの中間層部の混合米層（玄米と籾とが混合状態にある）とに分離されて、選別された玄米は、玄米還元口24へ流下し、籾は籾選別口11へ流下し、混合米はこれらの前後間の混合米口30へ流下される。
【０００７】
このように揺動選別装置4で選別され籾は、前記籾摺選別口11から返り籾選別風路6を経て二番樋12に落下されて、前記吸引排風機8による選別風を受ける。この二番樋12に受けられた返り籾は、二番樋12横端の二番スロワ14に供給されて、スロワ筒31内に沿って返り籾ホッパ13へ還元搬送される。又、前記混合米口30に流下した混合米は返り混合米選別風路7を流下する間に風選作用を受けて、混合米樋27へ流入して、昇降機10を経て選別ホッパ9へ循環される。又、選別玄米還元口24に排出された玄米は、玄米の選別度合によって、籾の混入がないときは玄米排出口28へ取出し、籾の混入が多いときは、切替弁25を操作して混合米樋27側へ還元させる。
【０００８】
前記二番口14を揚穀される返り籾は、このスロワ筒31内の上辺部32内に沿って揚穀移動案内されるが、何らかの原因で揚穀力が低下し弱くなると、返り籾はスロワ筒31内の下辺部15に下降，摺動して、下側、乃至揚穀方向と逆行するように二番スロワ14内側へ逆流するようになる。このようなときは、下辺部15の途中に落下口16が形成されているため、この下辺部15に下降した籾は、落下口16から下側の二番返し樋17を流下されて、摺出米選別風路5へ還元供給されて、吸引排風機8による再風選作用を受ける。
【０００９】
請求項2に記載の発明は、前記二番スロワ14の入口部18に開閉可能の制御弁19を設け、籾摺作業を停止操作する操作レバー20で前記制御弁19を閉鎖することによって、一定時間後に前記二番スロワ14の回転を停止する。
【００１０】
前記二番スロワ14を停止する場合は、操作レバー20により揺動選別装置4の籾選別口11部から搬送される返り籾の制御弁19を閉鎖して、二番スロワ14への返り籾の搬入を停止する。この籾選別口11の閉鎖によって、二番樋12から二番スロワ14への返り籾の搬入は停止されるが、この二番スロワ14の駆動回転は継続状態にあって、二番スロワ14内に搬入されている返り籾は、返り籾ホッパ13へ送込まれている。この送込状態が一定時間（例えば、4〜5秒間）継続されると、この二番スロワ14内部の揚穀籾量もなくなり、二番スロワ14の駆動も自動的に停止される。
【００１１】
請求項3に記載の発明は、前記二番樋12にのぞむ籾選別口11の返り籾シャッタ21を閉鎖した後に停止スイッチ22を押すことによって、一定時間後に二番スロワ14の駆動を停止する。
【００１２】
前記停止スイッチ22の操作で籾選別口11の返り籾シャッタ21を閉鎖して、二番樋12への返り籾を送込を停止すると、一定時間後に二番スロワ14の駆動が停止される。この二番スロワ14は停止スイッチ22操作後も一定時間は継続駆動されていて、既に二番スロワ14内の返り籾は、返り籾ホッパ13へ還元搬送されていて、二番スロワ14内の残留籾がない状態に維持される。
【００１３】
請求項4に記載の発明は、前記二番スロワ14を駆動するスロワモータ23を、独立駆動のインバータモータによって駆動すると共に、揺動選別装置4の選別粒を循環するときの出力回転数は、選別玄米を排出するときの回転数よりも大きくするように制御可能とする
。
【００１４】
前記籾摺機の脱ぷ装置2は、メインモータ29によって駆動し、揺動選別装置4は前記メインモータ29、又は選別モータ33により駆動し、二番スロワ14は、スロワモータ23によって各独立的駆動する形態としている。又、このスロワモータ23はインバータモータを用いて駆動力を大きく設定している。又、揺動選別装置4の選別玄米還元口24における切替弁25を、玄米排出口28位置へ切替えて、玄米を取出排出する排出位置としたり、混合米樋27側へ切替えて、循環位置として切替えることができるが、この循環位置へ切替えたときのインバータモータ23の回転数は、排出位置時の回転数よりも適宜大きく設定している。このため、ミ二番スロワ14は、二番樋12の二番ラセンと同軸で一体駆動されるが、単体のモータ23によって円滑に駆動回転される。又、前記循環時は通常以上の回転数で駆動されて、二番スロワ14内の残留籾量を少くして、再起動時の回転も速くすることができ、残留籾の付き回りにより詰りを防止することができる。籾摺自動停止後の再起動時の詰りを有効に防止できる。
【００１５】
請求項5に記載の発明は、前記スロワモータ23を、籾摺機本体の脱ぷ装置2、又は揺動選別装置4を駆動するメインモータ29の停止後の一定時間後に自動的に駆動停止することができる。
【００１６】
前記メインモータ29は、脱ぷ装置2、又は揺動選別装置4を揺動駆動する。又、スロワ23は、同軸上の二番スロワ14の跳翼車33、及び二番ラセン34を回転駆動する。このメインモータ29の駆動が停止すると、一定時間後にスロワモータ23が自動的に停止される。メインモータ29の停止後はスロワ23による二番スロワ14の跳上翼車33が回転されていて、既に二番スロワ14内に搬入されている返り籾の搬送を行って、残留籾のない状態としている。
【００１７】
請求項6に記載の発明は、揺動選別装置4の選別玄米還元口24に、玄米排出口28と混合米樋27とに切替案内する切替弁25を設け、二番樋12の底部に開閉弁26を設け、これら切替弁25と開閉弁26の開きによって、前記還元口24から排出される玄米や、二番樋12の返り粒を、下側の混合米樋27に流入させて搬送処理する。
【００１８】
籾摺選別作業の開始時や、揺同選別装置4の選別作用が適正に行われないとき等においては、前記選別玄米還元口24の切替弁25を排出位置から還元位置へ切替えて、選別玄米還元口24の玄米を混合米樋27側へ還元させたり、又、二番樋12の底部の設ける開閉弁26を開いて、この二番樋12の返り籾を下側の混合米樋27に流下させることができる。
【００１９】
このような場合は、混合米樋27内の混合米搬送量は増加するが、昇降機10によって選別ホッパ9へ揚穀されるため、搬送詰りは起し難く、しかも、二番スロワ14への返り籾の供給も停止されて、二番スロワ14の回転は円滑に行わせることができ、籾詰りを起すことも少い。
【発明の効果】
【００２０】
請求項1に記載の発明は、籾の乾燥度等によって水分が多い場合や、わら屑混入の多い場合、又は、揺動選別装置4からの返り籾量が多い場合等においても、又、籾摺負荷の増大等によって二番スロワ14の回転が低下した場合等においても、スロワ筒31の上辺部32内部の揚穀間隔を広く維持して、揚穀抵抗を少くして籾詰りを防止し、円滑な二番スロワ14の返り籾搬送を維持することができ、再起動を的確に、円滑に行うことができる。スロワ筒31の下辺部15に降下する籾は、この下辺部15の落下口16から二番返し樋17を案内されて、このスロワ筒31と近くの摺出米選別風路5部を通して混合米樋27へ還元させるものであるから、この摺出米選別風路5で風選しながら、再動揺動選別装置4を通して選別を行わせ、選別精度を高めることができる。又、前記スロワ筒31の二番返し樋17から返り籾の流下される摺出米選別風路5は、この二番スロワ14の設置位置近くに構成されているため、これらの配置構成を簡単にすることができ、摺出米の風選作用や、吸引排風機10の排塵機能等を阻害しないで、無理のない円滑な風選、選別作用を行わせることができる。
【００２１】
請求項2に記載の発明は、籾摺作業の停止時に二番スロワ14の入口部の制御弁19を閉鎖して、二番スロワ14への返り籾の搬入を停止するときは、この制御弁19の閉鎖から一定時間後に二番スロワ14の駆動を停止するもので、この一定時間の二番スロワ14は駆動状態に維持されて、返り籾の供給は停止されているが、スロワ14内部に既に供給されている返り籾の揚穀作用は継続されていて、二番スロワ14内に残留籾がない状態に処理されるため、この二番スロワ14を再起動するときの起動負荷を少くして、円滑で、的確な起動を行わせることができる。
【００２２】
請求項3に記載の発明は、前記のように二番スロワ14が停止される直前には、内部に残留する返り籾量がない状態に維持されるため、二番スロワ14の再起動を容易に、的確に行わせることができる。
【００２３】
請求項4に記載の発明は、前記二番スロワ14を駆動するスロワモータ23をインバータモータによって独立駆動するため、二番スロワ14の駆動負荷の変動に対応し易く、二番スロワ14の籾詰り現象を少くして、安定した返り籾の還元搬送を行わせることができる。又、再起動時の二番スロワ14の搬送を円滑に、的確に行わせることができる。
【００２４】
請求項5に記載の発明は、前記スロワモータ23とメインモータ29とを独立駆動する形態においては、スロワモータ23を、メインモータ29の停止により一定時間後に自動的に停止するように駆動制御するものであるから、二番スロワ14停止時の残留籾をなくして、再起動を円滑に行うことができる。
【００２５】
請求項6に記載の発明は、前記のように選別玄米還元口24には切替弁25を設け、二番樋12の底部には開閉弁26を設けて、緊急時は、これらの切替弁25、又は開閉弁26を切替操作して、選別玄米還元口24の玄米や、二番樋12の籾を混合米樋27へ切替還元して、再度揺動選別装置4で選別作用を行わせるもので、籾摺の一時中断時や、再開時に二番ラセン34や、二番スロワ14等の籾詰り現象を少くし、再起動時の二番スロワ14の詰りをなくして、安定した籾摺作業を行うことができる。
【図面の簡単な説明】
【００２６】
【図１】籾摺機の側断面図。
【図２】その平面配置図。
【図３】二番スロワの側面図。
【図４】その一部破断せる背面図。
【図５】スロワモータ等の制御ブロック図。
【図６】二番スロワの別例を示す側面図。
【発明を実施するための形態】
【００２７】
図面に基づいて、籾摺機は、機台の前部に脱ぷ装置2と、籾ホッパ1、及び返り籾ホッパ13を配置し、前後方向中間部に摺出米及び混合米を揚穀する昇降機10や、摺出米を風選すする摺出米選別風路5、及び、返り混合米返り籾を風選する返り籾選別風路6や、返り混合米選別風路7、これら各選別風路5、6、7、等に選別風を流す引排風機8、及び前記返り籾等を受けて跳上揚穀して前端部上の返り籾ホッパ13へ還元供給する二番スロワ14等を配置し、後部に多数枚の選別板3を重合形態にして揺動選別する揺動選別装置4と、この揺動選別装置4の上方に前記昇降機10の選別ホッパ9をのぞませて設け、揺動選別装置4の一側端部に形成する籾選別口11、混合米口30、玄米口（玄米還元口）24を形成して、前記中央部の選別風路6、7、等にのぞませている。機台の前端部には玄米昇降機35を設けて、籾摺選別された玄米口24から取出された玄米を排出口36から機外へ取出すことができる。
【００２８】
前記脱ぷ装置2は、前記籾ホッパ1、及び返り籾ホッパ13から供給筒37を通して供給される籾を、脱ぷ室38内で高速回転するインペラによって放出させて、脱ぷ室38内周面に衝突させて、この衝撃力によって脱ぷさせながら、放出筒39から摺出米選別風路5の始端部へ拡散させて供給する。
【００２９】
前記昇降機10の下端後側部に混合米樋27をのぞませて設け、この混合米樋27の前側上には摺出米選別風路5をのぞませ、後側上には混合米選別風路7をのぞませて、これら摺出米や返り混合米を受けて、内部で回転する混合米ラセン40により搬送して、昇降機10下端部内へ供給する。
【００３０】
前記混合米樋27の上側に二番樋12が平行状に構成されて、内部の二番ラセン34を跳上翼車33と一体回転する。この二番樋12上の返り籾選別風路6には、籾選別口11がシャッタ21を有してのぞみ、このシャッタ21を開くことによって、揺動選別装置4で選別された籾を二番樋12内へ流下することができる。又、この後側部に形成される混合米口30が前半部一部を、二番樋12上にのぞませることができる形態として、籾量の比率が多いときは、調節弁41により，二番樋12への還元するように調節し、玄米混入量の比率が多いときは、この選別弁41を開いて、下側の混合米樋27へ流下するように切替える。又、前記玄米口24の下方には、玄米排出口28を形成して昇降機35の下端部にのぞませている。この玄米口24の前側には、切替弁25が前後に切替可能に構成されて、選別玄米を取出すときは、玄米排出口28側を開き、選別玄米に籾が混入している場合は、この玄米排出口28側を閉じて、混合米樋27、及び選別風路7側を開くように切替えることができる。
【００３１】
前記籾選別口11には、返り籾選別シャッタ21を設けて、返り籾の排出を一時停止することができる。又、二番スロワ14にのぞむ二番樋12の底部には、開閉弁26を設け、二番スロワ14に連通する入口部18には制御弁19を設けて、これら開閉弁26の作動で二番樋12の底部を開くことによって、集送する返り籾を二番スロワ14内へ搬送しないで、下方の混合米樋27内へ排出させることができ、又、入口部18の制御弁19を閉鎖して、二番スロワ14への返り籾の搬入を停止することができる。これら開閉弁26や、制御弁19等は、操作レバーや、連動機構等によって回動操作することができるが、コントローラ42からの出力によって自動的に切替させる形態では、ソレノイド機構を用いて電磁的に連動させる形態とすることができる。
【００３２】
前記二番スロワ14は、機体の外側端面に沿って装着し、下端部のスロワ室42には、跳上翼車33を二番ラセン34上に固定して一体回転するように軸装し、このスロワ室42の上端部から前部上方の返り籾ホッパ13に亘って傾斜するスロワ筒31を設けて、この跳上翼車33の回転によって跳上げられる返り籾を、スロワ筒31の傾斜する上辺部32の内面に沿って案内させて揚穀することができる。又、この揚穀力が弱く、上端まで搬送されないときは、この上辺部32から離れた返り籾が下辺部6に落下して、この下辺部6の途中に形成される落下口16から下側の二番返し樋17へ流下される。この二番返し樋17は、下端口43を機外へ開口する形態とすることができるが、機体内側部の摺出米選別風路5へ開口44連通して、流下する返り籾を選別風路5内へ還元することができる。これら下端口43と開口44との間に切替弁３を設けて、返り籾の流下方向を機外へ取出すか、選別風路5内へ還元するかの切替可能の構成とすることも可能である。
【００３３】
ここにおいて，籾ホッパ1から供給される籾を受けて脱ぷする脱ぷ装置2と、多段の揺動選別板3からなる揺動選別装置4との間に、前記脱ぷ装置2で脱ぷされた摺出米を流下させて風選する摺出米選別風路5と、前記揺動選別装置4から流下される選別籾や、混合米等を風選する返り籾選別風路6、返り混合米選別風路7、これら各選別風路5、6、7から吸引する籾殻塵埃を機外へ排出する吸引排風機8、及び、前記摺出米選別風路5や返り籾選別風路6等から選別された混合米を受けて前記揺動選別装置4上方の選別ホッパ9へ昇穀する昇降機10を配置する籾摺機において、
前記揺動選別装置4の籾選別口11から選別される返り籾を受けて搬送する二番樋12の一側端部には、前記籾ホッパ1と並設の返り籾ホッパ13に連通する二番スロワ14を設け、この二番スロワ14の下辺部15に落下口16を開口し、この落下口16から下方の前記摺出米選別風路5にのぞませた二番返し樋17を設けた籾摺機の籾摺選別装置の構成とする。
【００３４】
籾ホッパ1に供給した籾は、脱ぷ装置2に供給されて、脱ぷ作用が行われる。この脱ぷされた摺出米は、摺出米選別風路5へ流下されて、吸引排風機8からの吸引排風を受けて、籾殻や塵埃を分離吸引しながら、風選した摺出混合米を混合米樋27に流下させて、昇降機10へ案内する。摺出米は、昇降機10によって昇穀されて選別ホッパ9へ搬送供給される。この選別ホッパ9から供給される混合米は、揺動選別装置4の各選別板3上に供給されて、揺動作用により選別板3上面を移動されながら比重選別作用が行われる。各選別板3上面の混合米層は、下層部の玄米層と、上層部の籾層と、これらの中間層部の混合米層（玄米と籾とが混合状態にある）とに分離されて、選別された玄米は、玄米還元口24へ流下し、籾は籾選別口11へ流下し、混合米はこれらの前後間の混合米口30へ流下される。
【００３５】
このように揺動選別装置4で選別され籾は、前記籾摺選別口11から返り籾選別風路6を経て二番樋12に落下されて、前記吸引排風機8による選別風を受ける。この二番樋12に受けられた返り籾は、二番樋12横端の二番スロワ14に供給されて、スロワ筒31内に沿って返り籾ホッパ13へ還元搬送される。又、前記混合米口30に流下した混合米は返り混合米選別風路7を流下する間に風選作用を受けて、混合米樋27へ流入して、昇降機10を経て選別ホッパ9へ循環される。又、選別玄米還元口24に排出された玄米は、玄米の選別度合によって、籾の混入がないときは玄米排出口28へ取出し、籾の混入が多いときは、切替弁25を操作して混合米樋27側へ還元させる。
【００３６】
前記二番口14を揚穀される返り籾は、このスロワ筒31内の上辺部32内に沿って揚穀移動案内されるが、何らかの原因で揚穀力が低下し弱くなると、返り籾はスロワ筒31内の下辺部15に下降，摺動して、下側、乃至揚穀方向と逆行するように二番スロワ14内側へ逆流するようになる。このようなときは、下辺部15の途中に落下口16が形成されているため、この下辺部15に下降した籾は、落下口16から下側の二番返し樋17を流下されて、摺出米選別風路5へ還元供給されて、吸引排風機8による再風選作用を受ける。
【００３７】
又，前記二番スロワ14の入口部18に開閉可能の制御弁19を設け、籾摺作業を停止操作する操作レバー20で前記制御弁19を閉鎖することによって、一定時間後に前記二番スロワ14の回転を停止する。
【００３８】
前記二番スロワ14を停止する場合は、操作レバー20により揺動選別装置4の籾選別口11部から搬送される返り籾の制御弁19を閉鎖して、二番スロワ14への返り籾の搬入を停止する。この籾選別口11の閉鎖によって、二番樋12から二番スロワ14への返り籾の搬入は停止されるが、この二番スロワ14の駆動回転は継続状態にあって、二番スロワ14内に搬入されている返り籾は、返り籾ホッパ13へ送込まれている。この送込状態が一定時間（例えば、4〜5秒間）継続されると、この二番スロワ14内部の揚穀籾量もなくなり、二番スロワ14の駆動も自動的に停止される。
【００３９】
又，前記二番樋12にのぞむ籾選別口11の返り籾シャッタ21を閉鎖した後に停止スイッチ22を押すことによって、一定時間後に二番スロワ14の駆動を停止する。
【００４０】
前記停止スイッチ22の操作で籾選別口11の返り籾シャッタ21を閉鎖して、二番樋12への返り籾を送込を停止すると、一定時間後に二番スロワ14の駆動が停止される。この二番スロワ14は停止スイッチ22操作後も一定時間は継続駆動されていて、既に二番スロワ14内の返り籾は、返り籾ホッパ13へ還元搬送されていて、二番スロワ14内の残留籾がない状態に維持される。
【００４１】
又，前記二番スロワ14を駆動するスロワモータ23を、独立駆動のインバータモータによって駆動すると共に、揺動選別装置4の選別粒を循環するときの出力回転数は、選別玄米を排出するときの回転数よりも大きくするように制御可能とする。
【００４２】
前記籾摺機の脱ぷ装置2は、メインモータ29によって駆動し、揺動選別装置4は前記メインモータ29、又は選別モータ33により駆動し、二番スロワ14は、スロワモータ23によって各独立的駆動する形態としている。又、このスロワモータ23はインバータモータを用いて駆動力を大きく設定している。又、揺動選別装置4の選別玄米還元口24における切替弁25を、玄米排出口28位置へ切替えて、玄米を取出排出する排出位置としたり、混合米樋27側へ切替えて、循環位置として切替えることができるが、この循環位置へ切替えたときのインバータモータ23の回転数は、排出位置時の回転数よりも適宜大きく設定している。このため、ミ二番スロワ14は、二番樋12の二番ラセンと同軸で一体駆動されるが、単体のモータ23によって円滑に駆動回転される。又、前記循環時は通常以上の回転数で駆動されて、二番スロワ14内の残留籾量を少くして、再起動時の回転も速くすることができ、残留籾の付き回りにより詰りを防止することができる。籾摺自動停止後の再起動時の詰りを有効に防止できる。
【００４３】
又，前記スロワモータ23を、籾摺機本体の脱ぷ装置2、又は揺動選別装置4を駆動するメインモータ29の停止後の一定時間後に自動的に駆動停止することができる。
【００４４】
前記メインモータ29は、脱ぷ装置2、又は揺動選別装置4を揺動駆動する。又、スロワ23は、同軸上の二番スロワ14の跳翼車33、及び二番ラセン34を回転駆動する。このメインモータ29の駆動が停止すると、一定時間後にスロワモータ23が自動的に停止される。メインモータ29の停止後はスロワ23による二番スロワ14の跳上翼車33が回転されていて、既に二番スロワ14内に搬入されている返り籾の搬送を行って、残留籾のない状態としている。
【００４５】
更には，揺動選別装置4の選別玄米還元口24に、玄米排出口28と混合米樋27とに切替案内する切替弁25を設け、二番樋12の底部に開閉弁26を設け、これら切替弁25と開閉弁26の開きによって、前記還元口24から排出される玄米や、二番樋12の返り粒を、下側の混合米樋27に流入させて搬送処理する。
【００４６】
籾摺選別作業の開始時や、揺同選別装置4の選別作用が適正に行われないとき等においては、前記選別玄米還元口24の切替弁25を排出位置から還元位置へ切替えて、選別玄米還元口24の玄米を混合米樋27側へ還元させたり、又、二番樋12の底部の設ける開閉弁26を開いて、この二番樋12の返り籾を下側の混合米樋27に流下させることができる。
【００４７】
このような場合は、混合米樋27内の混合米搬送量は増加するが、昇降機10によって選別ホッパ9へ揚穀されるため、搬送詰りは起し難く、しかも、二番スロワ14への返り籾の供給も停止されて、二番スロワ14の回転は円滑に行わせることができ、籾詰りを起すことも少い。
【００４８】
次に、主として図6において、前記二番スロワ14の別例を示すもので、前記跳上翼車33の各翼板板47の放射方向の長さを短かく形成して、スロワ室42内部における翼板47による籾の飛し時の掻込み深さを浅くして、跳上作用低下時におけるスロワ室42内での、籾の飛ばし揚穀抵抗を小さくして、翼車33の回転を停止させないようにし、翼車33の回転を停止させないようにして、返り籾揚穀の詰りを少くし、又、再起動を円滑に行い得る。
【符号の説明】
【００４９】
1  籾ホッパ
2  脱ぷ装置
3  選別板
4  揺動選別装置
5  摺出米選別風路
6  返り籾選別風路
7  返り混合米選別風路
8  吸引排風機
9  選別ホッパ
10  昇降機
11  籾選別口
12  二番樋
13  返り籾ホッパ
14  二番スロワ
15  下辺部
16  落下口
17  二番返し樋
18  入口部
19  制御弁
20  操作レバー
21  返り籾選別口シャッタ
22  停止スイッチ
23  スロワモータ
24  選別玄米還元口
25  切替弁
26  開閉弁
27  混合米樋
28  玄米排出口
29  メインモータ
30  混合米口
31  スロワ筒
32  上辺部
33  跳上翼車
34  二番ラセン
35  玄米昇降機
【図１】
2016117008.tif 000003
【図２】
2016117008.tif 000004
【図３】
2016117008.tif 000005
【図４】
2016117008.tif 000006
【図５】
2016117008.tif 000007
【図６】
2016117008.tif 000008